(57)【要約】【課題】従来の仏壇では、故人の遺品や記念品を仏壇内に飾ることができないので、仏壇としての機能を損なわずに飾りスペースを設け、意匠性にも優れた仏壇を提供する。【解決手段】仏壇本体Ｂの内部に設けられる祭壇部１と祭壇部１の左右及び又は上方に配置する飾りスペース２とで構成され、飾りスペース２として透光性を有する棚板２１を設けることで、厳粛な雰囲気を醸しだすために、あまり照明を明るくすることはできず暗くなりがちな仏壇内においても棚板２１による影ができず、照明器具３１で照らした際も光が棚板２１で遮られることがないので、仏壇内が明るくできる。【選択図】  図３
2011167410.tif 000002
【特許請求の範囲】
【請求項１】
仏壇本体の内部に設けられる祭壇部と祭壇部の左右及び又は上方に配置する飾りスペースとで構成され、飾りスペースが透光性を有する棚板からなることを特徴とする仏壇。
【請求項２】
仏壇本体の内部に設けられる祭壇部と祭壇部の下方に配置する飾りスペースで構成され、飾りスペースは前後に可動自在の引出しからなり、祭壇部の底板は透光性を有する板であることを特徴とする仏壇
【請求項３】
仏壇本体の内部には祭壇部及び飾りスペースを照らす照明器具を設けたことを特徴とする請求項１又は２に記載の仏壇。
【発明の詳細な説明】
【技術分野】
【０００１】
本発明は、故人の遺品や記念品を飾ることができる飾りスペースを設けた仏壇に関するものである。
【背景技術】
【０００２】
仏壇は家庭内において故人となった親族や先祖を祀る祭礼用具であり、宗派によって様々な形態が見られるが、概ね、箱状の仏壇本体と仏壇本体の前面に設けられた折戸とから構成され、仏壇本体の内部には仏像や掛軸等の本尊や位牌を安置し、花立、燭台、香炉、茶湯器、リンなどの仏具を飾り、内部は彫刻等で装飾し荘厳な雰囲気を醸し出す。
【０００３】
最近では先祖代々をお祀りするというよりは、親や配偶者等の身近な故人を偲びたいと考える人も増えたが、故人の遺品等を仏壇に飾りたいと考えても仏壇内部に空いた場所はほとんどなく、写真を飾る程度である。
【０００４】
特許文献１には、須弥壇の一部を取外して祭壇の内部に収納空間を有し、故人の遺品や記念品を収納することで仏情感を高めると共に容易に出し入れができる仏壇が開示されている。
【先行技術文献】
【特許文献】
【０００５】
【特許文献１】実用新案登録第３０６１９３４号公報
【発明の概要】
【発明が解決しようとする課題】
【０００６】
しかし、特許文献１では仏壇の外形だけでなく内部についても通常の仏壇と変わらず、祭壇の内部に出し入れ容易に故人の遺品や記念品を収納することができるよう収納部を設けただけのものであって、故人を偲ぶために故人の遺品や記念品を仏壇内部に飾りたいという要望を満たすことはできない。
【０００７】
本発明は、かかる問題点に鑑みなされたものであり、故人の遺品や記念品を飾ることができる飾りスペースを設けると共に仏壇としての機能を損なわず意匠性にも優れた仏壇を提供することを目的とする。
【０００８】
上記目的を解決するために、請求項１に係る仏壇の発明は、仏壇本体の内部に設けられる祭壇部と祭壇部の左右及び又は上方に配置する飾りスペースとで構成され、飾りスペースが透光性を有する棚板からなることを特徴とする。
【０００９】
請求項２に係る仏壇の発明は、仏壇本体の内部に設けられる祭壇部と祭壇部の下方に配置する飾りスペースからなり、飾りスペースは前後に可動自在の引出しからなり、祭壇部の底板兼引出しの天板は透明板であることを特徴とする。
【００１０】
請求項３に係る仏壇の発明は、請求項１又は２に記載の仏壇本体の内部には祭壇部及び飾りスペースを照らす照明器具を設けたことを特徴とする。
【発明の効果】
【００１１】
請求項１に係る発明は、仏壇本体の内部に設けられる祭壇部と祭壇部の左右及び又は上方に配置する飾りスペースとで構成されるので、従来の仏壇とは違って、仏壇内部の仏具等が邪魔になることなく仏壇としての機能を保持しながら、故人の遺品や記念品を飾ることができ故人を偲ぶことができる。また、飾りスペースが透光性を有する棚板からなるので、厳粛な雰囲気を醸しだすために、あまり照明を明るくすることはできず暗くなりがちな仏壇内においても棚板による影ができず、照明で照らした際も光が棚板で遮られることがないので、仏壇内が明るくでき棚に飾った故人の遺品や記念品もはっきりと見ることができる。
【００１２】
請求項２に係る発明は、仏壇本体の内部に設けられる祭壇部と祭壇部の下方に配置する飾りスペースからなり、飾りスペースは前後に可動自在の引出しからなるので、請求項１と同様に飾りスペースに故人の遺品や記念品を飾ることができ故人を偲ぶことができると共にほこり等によって汚れることがなく、祭壇部に仏飯や仏花を供える際に飾り物に触れて倒したりすることがない。また、祭壇部の底板（引出しの天板）は透光性を有する板であるので、祭壇部の下方に故人の遺品や記念品を眺めることができる。
【００１３】
請求項３に係る発明は、請求項１又は２に記載の仏壇本体の内部には祭壇部及び飾りスペースを照らす照明器具を設けることで、飾られた故人の遺品や記念品をよりはっきりと見える。
【図面の簡単な説明】
【００１４】
【図１】本発明の仏壇の外観を示す正面図。
【図２】本発明の仏壇の扉を開けた状態を示す正面図。
【図３】図２の仏壇の内部を示す参考図。
【図４】図２の仏壇の使用状態を示す参考図。
【図５】本発明の仏壇を含む収納家具の斜視図。
【図６】本発明の別の仏壇の扉を開けた状態を示す正面図。
【図７】図６の仏壇の内部を示す参考図。
【図８】本発明の別の仏壇の扉を開けた状態を示す正面図。
【図９】図８の仏壇の内部を示す参考図。
【図１０】図９の仏壇の引出しを開けた状態を示す参考図。
【発明を実施するための形態】
【００１５】
以下、本発明の実施形態について、図１から図９を用いて説明する。もちろん本発明は前記図面及び本実施形態の記載内容に限られるものではない。
【００１６】
図１は本発明の仏壇Ａの外観を示す正面図であり、仏壇本体Ｂと左右に開放する一対の折戸６とキャスター８２により移動自在の椅子８１からなり、上方には２箇所の上部収納７が設けられている。図２は仏壇Ａに設けられた一対の折戸６を左右に開放し椅子８１を外した状態を示しており、仏壇本体Ｂの内部に設けられる祭壇部１の左右に飾りスペース２が配置されている。祭壇部１の上方には照明器具３１が２箇所設けられ、まぶしくないように透明で薄い色の付いたガラス板が上下方向にわずかな隙間を開けて重ねられた間接照明となっている。また、祭壇部１の下方には引出し自在のカウンター４、下部収納５（本実施形態では引出し）が設けられる。なお、飾りスペース２は祭壇部１の左又は右の一箇所だけに設けても良い。
【００１７】
図３は前記仏壇Ａの内部を示しており、中央の祭壇部１には仏像や掛軸等の本尊や位牌を安置し、花立、燭台、香炉、茶湯器、リンなどの仏具が必要に応じて配置される。祭壇部１の横には飾りスペース２が配置されており故人の遺品や記念品等、通常の仏壇では置きにくい飾り物が見やすいように飾られる。飾りスペース２の形状については特定しないが、飾り物の大きさに応じてスペースの大きさが変えられる取外し及び固定が自在の棚板２１が用いられる。本実施形態では棚板２１を支持するために多数の溝を設けたＬ字状支持部材２２の所望の溝に棚板２１を挿入して飾りスペース２を形成する。
【００１８】
仏壇内部の祭壇部１及び飾りスペース２は照明器具３１で照らされる。仏壇内部は厳粛な雰囲気を醸しだすために、あまり照明を明るくすることはできない。一方で棚を多用すると特に下方は光が遮られ棚の影になったりするので、少ない光で全体を隈なく照らすためには透光性を有する棚板を用いることが好ましい。
【００１９】
本実施形態の仏壇Ａは図４に示すように、使用時には仏壇本体Ｂの下部の椅子収納部８３に収納されている椅子８１を引出し、カウンター４を引き出し線香立てやリン、写真等を配置し、椅子に座り礼拝する。カウンター４を閉め椅子８１を椅子収納部８３に収納すると背板部分８４が仏壇本体Ｂと一体化し、折戸６を閉めると図５に示すように外観は一般的な収納家具と見分けがつかず、収納家具の一部として薄型テレビと共にリビングに並べても違和感はないものである。
【００２０】
図６は別の実施形態の仏壇Ａの扉を開けた状態を示す。祭壇部１の上方に飾りスペース２が配置されている以外は図２に示す実施形態と同様であり、外観も幅が狭くなった以外は図１に記載の形状と同様である。
【００２１】
図７は前記仏壇Ａの内部を示しており、上方の飾りスペース２は３枚の棚板２１で構成されている。棚板は固定式でも位置調整が可能な可動式でもかまわないが、透光性を有するものであることが好ましい。本実施形態では照明器具３２は仏壇内部の天井面に１箇所設けられているが、飾りスペース２を祭壇部１の上方に設けていても、下段の棚板２１に飾った物や祭壇部１は棚板２１が透光性を有するので光が遮られ棚の影になったり暗くて見え難いということがない。なお、図２の仏壇Ａは飾りスペース２を祭壇部１の左右に、図６は上方に配置したものであるが、左右及び上方の両方に配置させても良い。
【００２２】
図８はさらに別の実施形態の仏壇Ａの扉を開けた状態を示す。祭壇部１の下方に飾りスペース２が、左右には照明器具付き化粧部材９が配置され、縦長の照明器具３３による間接照明で仏壇内部を照らしている。
【００２３】
図９は前記仏壇Ａの内部を示しており、下方の飾りスペース２は前後に可動自在の引出し２３からなり（図１０は引出しを開けた状態を示す）、その前面部と祭壇部の底板２５（引出し部分の天板でもある）は透光性を有する板からなるので、引出し２３に故人の遺品や記念品を飾ることができ故人を偲ぶことができると共に、ほこり等によって汚れることがなく、祭壇部に仏飯や仏花を供える際に飾り物に触れて倒したりすることがない。また。祭壇部の下方に故人の遺品や記念品を見ながらお参りができ、より故人を偲ぶことができる。
【００２４】
左右に配置された照明器具付き化粧部材９は仏壇内部の奥側で曲面を形成しているので、縦長の照明器具３３が発する光が曲面で乱反射し、柔らかな光となると共に仏壇内部を隈なく照らすことができ飾りスペース２に飾った故人の遺品や記念品もはっきりと見える。照明器具３３は縦長で発光できるようにＬＥＤや蛍光灯を用いる。
【００２５】
以上、３つの実施形態について説明したが、これらに限定されるものではない。また、透光性を有する棚板２１、底板２５はガラス、樹脂(アクリル、塩ビ、ポリカーボネート、ＡＢＳ等)が用いられ、無色あるいは淡色の板が用いられる。
【産業上の利用可能性】
【００２６】
祭壇部の左右及び又は上方あるいは下方に飾りスペースを配置しているので、遺品や記念品を見て故人を偲ぶことができると共に仏壇としての機能を損なわず意匠性にも優れた仏壇を提供することができ、極めて有用で産業上の利用可能性が高い。
【符号の説明】
【００２７】
Ａ                仏壇
Ｂ                仏壇本体
１                祭壇部
２                飾りスペース
２１                棚板
２２                Ｌ字状支持部材
２３                引出し                
２５                祭壇部底板
３１、３２、３３    照明器具
４                  カウンター
５                  下部収納
６                  折戸
７                  上部収納
８１                椅子  
９                  照明器具付き化粧部材              
【図１】
2011167410.tif 000003
【図２】
2011167410.tif 000004
【図３】
2011167410.tif 000005
【図４】
2011167410.tif 000006
【図５】
2011167410.tif 000007
【図６】
2011167410.tif 000008
【図７】
2011167410.tif 000009
【図８】
2011167410.tif 000010
【図９】
2011167410.tif 000011
【図１０】
2011167410.tif 000012